(57)【要約】【課題】  着座者が着座しているか否かを後方から容易に確認することができ、使い勝手を高めることができる回転椅子を提供する。【解決手段】  回転椅子１は、着座部材２０と、着座者の状態を後方から支持する背凭れ部材３０とを備えている。背凭れ部材３０には、着座者の頭部よりも高い位置まで延在しており、着座者の頭部高さに位置して着座者の頭部における左右側部から前方に向かって延設されて着座者の頭部を後方および側方から閉塞する側部閉塞部と、着座者における上体の一部に当接する体受部と、を備えている。体受部は、着座者における上体の一部の当接によって後方に膨出変形可能とされており、体受部の膨出変形によって着座者の着座を示す存在表示部とされている。【選択図】図５
2015085071.tif 000002
【特許請求の範囲】
【請求項１】
床面上に載置可能とされた着床部材と、前記着床部材に対して鉛直軸周りに回動可能に支持された着座部材と、前記着座部材に着座する着座者の上体を後方から支持する背凭れ部材と、を備える回転椅子であって、
前記背凭れ部材は、前後方向を向く開口部を閉塞するように張設されたクロスを備えて構成され、前記着座者の頭部よりも高い位置まで延在しており、前記着座者の頭部高さに位置して前記着座者の頭部における左右側部から前方に向かって延設されて前記着座者の頭部を後方および側方から閉塞する側部閉塞部と、前記着座者における上体の一部に当接する体受部と、を有しており、
前記体受部は、前記着座者における上体の一部の当接によって後方に膨出変形可能とされており、前記体受部の膨出変形によって前記着座者の着座を示す存在表示部とされていることを特徴とする回転椅子。
【請求項２】
前記背凭れ部材における前記体受部と前記側部閉塞部とが一体的に形成されており、前記体受部の外周面と前記側部閉塞部の外周面とが連続面として形成されている請求項１に記載の回転椅子。
【請求項３】
前記体受部および前記側部閉塞部が、中央開口部が形成された枠体によって構成され、前記枠体における前記中央開口部を閉塞するように前記クロスが前記枠体に対して張設されている請求項１または請求項２に記載の回転椅子。
【請求項４】
前記枠体に張設された前記クロスの下方部位を前記着座部材によって後方に押し込んで前記クロスの幅方向中央部位を幅方向側方部位よりも後方に突出させて、前記クロスによって前記体受部と前記側部閉塞部とを一体的に形成した請求項３に記載の回転椅子。
【請求項５】
請求項１〜請求項４のうちのいずれか１項に記載の回転椅子の複数を円形配置し、複数の前記回転椅子における前記背凭れ部材によって、遮蔽面を形成することを特徴とする回転椅子の配置方法。
【発明の詳細な説明】
【技術分野】
【０００１】
本発明は、回転椅子およびその配置方法に係り、特に、オフィスや公共施設等の空間に設置して使用される回転椅子およびその配置方法に関する。
【背景技術】
【０００２】
オフィスや公共施設等の空間において人が着座する椅子として、従来、座面を回転させることができる回転椅子が使用されることがある。この回転椅子は、座面を回転させることで使用者が着座方向を変えることができるので、使用者の着座方向を作業内容に応じた方向に調節することができる。たとえば、一人で集中する作業を行う際には、前方に人がいない方向を向ければ良いし、複数の人数で討論等する場合には、それぞれの人が互いに向き合う方向を着座方向とすればよい。このような着座方向を調節可能とすることで、使用時の利便性を高めることができる。
【０００３】
また、椅子に着座して一人で集中した作業を行う際、椅子の着座者の視界に可動物などが入ると、集中が妨げられることがある。このような事態を避けて集中を維持できるように、例えば、着座者の背面を覆う遮蔽カバーが設けられた椅子としての機能を具現する作業環境構成什器が開示されている（例えば、特許文献１参照）。この作業環境構成什器では、着座者の注意が行き届きにくい背面を閉塞することができるので、着座しての作業に集中できるとともに、秘匿性の高い作業を行っている際に、後方からの覗き見を防止することなどもできる。
【先行技術文献】
【特許文献】
【０００４】
【特許文献１】特開２００４−２６１４７１号公報
【発明の概要】
【発明が解決しようとする課題】
【０００５】
ところで、オフィスなどで回転椅子を使用するに際し、集中した作業を行ったり、秘匿性の高い作業を行ったりすることも考えられる。このような場合、回転椅子に上記特許文献１に開示された作業環境構成什器における遮蔽カバーを設けることで、集中しやすい作業環境や秘匿性の高い作業に好適な環境を形成することができる。
【０００６】
しかし、オフィスなどに設けられる回転椅子としては、固定した着座者ではなく、誰でも使用されるものとすることが考えられる。この場合、上記特許文献１に開示された遮蔽カバーを回転椅子に取り付けてしまうと、回転椅子に着座者が存在するのか否かを後方から把握することができなくなってしまう。このため、空席を探すために例えば回転椅子の前方に回って着座者の存否を確認する作業を余儀なくされることから、使い勝手が低くなるという問題があった。
【０００７】
そこで、本発明の課題は、着座者が着座しているか否かを後方から容易に確認することができ、使い勝手を高めることができる回転椅子を提供することにある。
【課題を解決するための手段】
【０００８】
上記課題を解決した本発明に係る回転椅子は、床面上に載置可能とされた着床部材と、着床部材に対して鉛直軸周りに回動可能に支持された着座部材と、着座部材に着座する着座者の上体を後方から支持する背凭れ部材と、を備える回転椅子であって、背凭れ部材は、前後方向を向く開口部を閉塞するように張設されたクロスを備えて構成され、着座者の頭部よりも高い位置まで延在しており、着座者の頭部高さに位置して着座者の頭部における左右側部から前方に向かって延設されて着座者の頭部を後方および側方から閉塞する側部閉塞部と、着座者における上体の一部に当接する体受部と、を有しており、体受部は、着座者における上体の一部の当接によって後方に膨出変形可能とされており、体受部の膨出変形によって着座者の着座を示す存在表示部とされていることを特徴とする。
【０００９】
本発明に係る回転椅子における背凭れ部材は、着座者の頭部における左右側部から前方に向かって延設されて着座者の頭部を後方および側方から閉塞する側部閉塞部と、着座者における上体の一部に当接する体受部と、を備えている。この背凭れ部材における体受部は、着座者における上体の一部の当接によって後方に膨出変形可能とされており、体受部の膨出変形によって着座者の着座を示す存在表示部とされている。この存在表示部が設けられていることにより、回転椅子を使用しようとする者が着座者の存否を後方から容易に確認することができ、使い勝手を高めることができる。
【００１０】
ここで、背凭れ部材における体受部と側部閉塞部とが一体的に形成されており、体受部の外周面と側部閉塞部の外周面とが連続面として形成されていてもよい。このように、体受部の外周面と側部閉塞部の外周面とが連続面として形成されていることにより、回転椅子の外周面の体裁を良好に収めることができる。
【００１１】
また、体受部および側部閉塞部が、中央開口部が形成された枠体によって構成され、枠体における中央開口部を閉塞するようにクロスが枠体に対して張設されていてもよい。このように、枠体における中央開口部を閉塞するようにクロスが枠体に対して張設されて体受部および側部閉塞部が形成されていることにより、体受部および側部閉塞部を簡易的に形成することができる。
【００１２】
さらに、枠体に張設されたクロスの下方部位を着座部材によって後方に押し込んでクロスの幅方向中央部位を幅方向側方部位よりも後方に突出させて、クロスによって体受部と側部閉塞部とを一体的に形成してもよい。
【００１３】
このように、クロスの幅方向中央部位を幅方向側方部位よりも後方に突出させて、クロスによって体受部と側部閉塞部とを一体的に形成することにより、より深い奥行き寸法からなる空間を着座者に提供することができる。
【００１４】
他方、上記課題を解決した本発明に係る回転椅子の配置方法は、上記に記載の回転椅子の複数を円形配置し、複数の回転椅子における背凭れ部材によって、遮蔽面を形成することを特徴とする。このように、回転椅子における背凭れ部材によって遮蔽面を形成することにより、複数の回転椅子に着座する複数の着座者が会議などをする場合に、その密閉性を高いものとすることができる。
【発明の効果】
【００１５】
本発明に係る回転椅子によれば、着座者が着座しているか否かを後方から容易に確認することができ、使い勝手を高めることができる。
【図面の簡単な説明】
【００１６】
【図１】本発明に係る回転椅子の斜視図である。
【図２】（ａ）は回転椅子の正面図、（ｂ）はその側面図である。
【図３】回転椅子の製造工程を示す工程図である。
【図４】図３に続く製造工程を示す工程図である。
【図５】回転椅子の着座者が着座した状態を示す側面図である。
【図６】回転椅子に着座者が着座した状態の平面図である。
【図７】本発明に係る回転椅子を略円形に配置した状態の斜視図である。
【発明を実施するための形態】
【００１７】
以下、本発明の好適な実施形態について、図面を参照して説明する。図１は、本発明の実施形態に係る回転椅子の斜視図である。図１に示すように、本発明に係る回転椅子１は、床面上に載置可能とされた着床部材１０を備えている。着床部材１０の上方には、着座部材２０が設けられている。着座部材２０は、着床部材１０に対して鉛直軸周りに回転可能に支持されている。また、着座部材２０の背後には、着座部材２０に着座する着座者の上体を後方から支持する背凭れ部材３０が設けられている。
【００１８】
着床部材１０と着座部材２０との間には、図２に示す回転部材４０が設けられている。回転部材４０は、着床部材１０に固定される固定板と、この固定板に対して鉛直軸周りに回転するステージとを備えており、ステージに着座部材２０が固定されて、着座部材２０が着床部材１０に対して鉛直軸周りに回転可能とされている。ここで、着座部材２０は、着床部材１０に対して、平面視して時計回りおよび反時計回りの双方に回転可能とされている。
【００１９】
着座部材２０は、図２（ｂ）に示すように、側断面が不等脚台形となる立体形状をなしている。側面視した後方部における下端部がその上端部よりも後方に飛び出す形状をなしており、側面視した後方部を除いた部分は、平断面が略円弧となる形状をなしている。この平断面が略円形となっている部分が、着座者が着座する着座部となる。
【００２０】
着座部材２０の後方に設けられた背凭れ部材３０は、枠体３１と、枠体３１に張設されたクロス３２とを備えている。枠体３１は、パイプ状をなしており、左右位置に配置された上下方向に延在する縦枠と、縦枠の上端部を繋ぐ横枠とを備えて形成されている。これらの縦枠および横枠が連続的かつ一体的に形成されて、いわば門形をなして枠体３１を形成している。
【００２１】
枠体３１における縦枠は、その高さ方向略中央位置が前後方向にくびれている。このくびれは、前方が凸となるようにして形成されており、左右の縦枠において同様にくびれが形成されている。さらに、枠体３１における横枠は、平面視してその幅方向中央部が後方に凸となる湾曲形状をなしている。さらに、枠体３１の下端部は、着座部材２０における奥行き方向略中央位置の側面に沿って配置され、着座部材２０に固定されている。
【００２２】
枠体３１に張設されたクロス３２は、伸張可能な素材によって形成された袋状をなしており、メッシュが形成されている。このメッシュの目は細かく形成されており、メッシュを通した透視性は低いものとされている。このため、メッシュを通しても回転椅子１の着座者を確認することは困難とされている。
【００２３】
クロス３２の内側には枠体３１が挿入されており、クロス３２の外形は、枠体３１の外形に沿った形状とされている。枠体３１は、前後方向を向く開口部を備えており、クロス３２は、この開口部を閉塞するように張設されている。さらに、クロス３２の下部は、着座部材２０の後端部によって後方に押し込まれている。このため、クロス３２の下部は、着座部材２０の後端面形状に合わせて伸張し、着座部材２０の後端面形状に沿った形状とされている。
【００２４】
さらに、クロス３２が伸張可能な素材によって形成されている。このため、着座部材２０に着座した着座者が背凭れ部材３０に寄りかかり、クロス３２における体受部が上体の一部に当接することにより、着座者の背圧によってクロス３２が伸張し、後方に向けて膨出変形可能とされている。ここで、「着座者における上体の一部に当接する」とは、着座者における上体に直接当接する場合のほか、着衣などを介して間接的に当接する場合を含むものである。
【００２５】
また、背凭れ部材３０は、着座部材２０に着座する着座者の頭部よりも高い位置まで延在しており、着座者の頭部高さに位置して着座者の頭部における左右側部から前方に向かって延設されて着座者の頭部を後方および側方から閉塞する側部閉塞部を備えている。さらに、背凭れ部材３０は、着座者における上体の一部に当接する体受部を備えている。こられの側部閉塞部および体受部は一体的に形成されており、側部閉塞部の外周面と体受部の外周面とが連続面として形成されている。
【００２６】
次に、本実施形態に係る回転椅子の製造手順について説明する。
【００２７】
図１に示す回転椅子１を製造する際には、まず、着床部材１０の上方に着座部材２０を載置し、着床部材１０と着座部材２０との間に回転部材４０を介在させる。こうして、回転部材４０を介して着床部材１０に着座部材２０を取り付ける。その一方で、背凭れ部材３０を製造する。
【００２８】
背凭れ部材３０を製造する際には、図３（ａ）に示すように、枠体３１およびクロス３２を用意する。クロス３２の下方は開口部とされている。続いて、クロス３２の下方面に形成された開口部から枠体３１を挿入し、枠体３１の上方からクロス３２を覆い被せていく。
【００２９】
枠体３１の高さ方向の全体にわたってクロス３２を覆い被せると、図３（ｂ）に示すように、枠体３１に対してクロス３２が張設される。このとき、クロス３２の上端辺は枠体３１の横枠に沿って、平面視して湾曲した形状となる。その一方、枠体３１の横枠は上方にしか設けられておらず、下方にはクロス３２を案内する枠が形成されていない。このため、クロス３２の下端辺は直線状となる。このため、クロス３２の上方部分には湾曲面がみられ、下方に下がるにしたがって湾曲角度が徐々に大きくなり、下端部では、直線状となっている。
【００３０】
このような形状にクロス３２が張設されている背凭れ部材３０に対して、図４（ａ）に示すように、その前方から着床部材１０に取り付けられた着座部材２０が押し込まれる。クロス３２に着座部材２０が押し込まれると、図４（ｂ）に示すように、着座部材２０の押圧力によってクロス３２における着座部材２０との当接部が後方に押し込まれる。そして、着座部材２０の奥行き方向略中央部に背凭れ部材３０における枠体３１の縦枠が配置された位置関係となると、着座部材２０の後端面形状に合わせてクロス３２の下部が伸張し、クロス３２の下部が着座部材２０の後端面形状に沿った形状となる。こうして、回転椅子１が製造される。
【００３１】
このような上記実施形態に係る回転椅子１においては、図５に示すように着座部材２０に着座者Ｈが着座すると、図５に仮想線Ｍで示すように、背凭れ部材３０の体受部が存在表示部として機能し、着座者Ｈの背圧によって背凭れ部材３０におけるクロス３２の体受部が後方に押し込まれて変形する。クロス３２の体受部が変形することにより、回転椅子１を使用しようとする者が回転椅子１の背面側から回転椅子１を見た場合でも、着座者がいることを容易に認識することができる。したがって、回転椅子を使用しようとする者は、回転椅子１の表側に回ることなく着座者の存否を後方から容易に確認することができ、使い勝手を高めることができる。
【００３２】
また、回転椅子１における背凭れ部材３０は、図５に示すように、通常の身長の着座者Ｈが回転椅子１に着座したときに、回転椅子１における背凭れ部材３０の上端部よりも低い位置に着座者Ｈの頭部が位置するように設計されており、この頭部高さ位置に側部閉塞部が形成されている。側部閉塞部は、着座者Ｈの頭部における左右側部から前方に向かって延設されており、着座者Ｈの頭部を後方および側方から閉塞している。
【００３３】
一般に、人間の最大視野角は前方から左右それぞれに約１００°（合計で２００°）程度であるところ、側部閉塞部は、その角度範囲を覆うように形成されている。このため、図６に示すように、着座者Ｈの後方の視野を背凭れ部材３０によってほぼ全て覆うことができる。したがって、着座者Ｈに「囲われ感」を与えることができるので、落ち着いた着座空間を提供することができる。
【００３４】
また、回転椅子１における背凭れ部材３０では、体受部と側部閉塞部とが１枚のクロス３２によって一体的に形成されており、体受部の外周面と側部閉塞部の外周面とが連続面として形成されている。このため、体受部と側部閉塞部とが、例えば独立して分離した形態などとならないようにすることができる。したがって、回転椅子１の外周面の体裁を良好に収めることができる。
【００３５】
さらに、背凭れ部材３０は、前後方向を向いた開口部が形成された枠体３１にクロス３２が被せられて形成されている。このため、背凭れ部材３０は、枠体３１にクロス３２を被せる程度の作業で製造することができる。したがって、背凭れ部材３０、さらには回転椅子１を容易に製造することができる。さらには、体受部および側部閉塞部を簡易的に形成することができる。
【００３６】
しかも、回転椅子１においては、クロスの幅方向中央部位を幅方向側方部位よりも後方に突出させて、クロスによって体受部と側部閉塞部とを一体的に形成している。このため、着座部材２０に着座者Ｈに対して、より深い奥行き寸法からなる空間を提供することができる。
【００３７】
他方、図７に示すように、複数の回転椅子１を用いて、複数の者が会議を行うためなどの密閉性の高い空間を形成する例について説明する。図７に示すように、回転椅子１を複数個、図７に示す例では、６個の回転椅子１を平面視して円形状に配置すると、各回転椅子１における背凭れ部材３０が並設された状態となる。こうして並設された複数の背凭れ部材３０によって、遮蔽面が形成される。
【００３８】
平面視して円形状に配置された複数の回転椅子１における背凭れ部材３０によって遮蔽面が形成されると、回転椅子１に着座する着座者は、遮蔽面の内側に収められることとなる。また、遮蔽面の内側は密閉性の高い空間とすることができる。したがって、複数の着座者が遮蔽面内において会議等を行うことができるので、例えば秘匿性の高い会議等であっても、その漏洩を防止しながら会議等を行うことができる。
【００３９】
また、こういった遮蔽面を形成する際にも、複数の回転椅子１を単に並べて配置すれば良い。このため、密閉性の高い空間を任意の場所に容易に形成することができる。しかも、回転椅子１に着座して会議を行う着座者が回転椅子１における背凭れ部材３０の体受部に当接することにより、回転椅子１の後方、言い換えると遮蔽面の外側から回転椅子１に着座する着座者の存在を外部から容易に認識できるようになる。このため、回転椅子１の背後から回転椅子１を見る者に対して、回転椅子１が使用中であることを認識させるのみならず、回転椅子１の反対側である遮蔽面の内側で会議等が行われていることを容易に認識させることができる。
【００４０】
以上、本発明の好適な実施形態について説明したが、本発明は上記の実施形態に限定されるものではない。たとえば、上記の実施形態においては、着座部材２０の着座面は平面視して略円形状とされているが、略円形状に限らず、矩形状、多角形状などとすることもできる。
【００４１】
また、背凭れ部材３０としては、枠体３１にクロス３２が被せられたものを用いているが、他の態様のものを用いることもできる。例えば、枠体３１にクロス３２を被せるのではなく、枠体の内側に伸縮性のある素材を貼り付けたり縫い付けたりして取り付けることもできる。あるいは、横枠を用いることなく、縦枠のみで枠体を形成してこの枠体にクロスなどの伸縮性のある素材からなる体受部を設けることもできる。
【００４２】
さらには、体受部と側部閉塞部とを別体に形成することもできる。この場合、例えば体受部を伸縮性のある素材で形成する一方、側部閉塞部を塑性材料で形成することもできる。もちろん、体受部と側部閉塞部を同一の素材で形成することもできる。また、上記実施形態ではクロスは着座部材２０の下端部にまで延在して形成されているが、着座部材２０の上端部近傍等にまで延在する形状で構成こともできる。また、クロス３２が１枚で形成されているが、クロスが分割されている態様とすることもできる。また、枠体３１が分割されたものであるようにすることもできる。
【符号の説明】
【００４３】
１…回転椅子
１０…着床部材
２０…着座部材
３０…背凭れ部材
３１…枠体
３２…クロス
４０…回転部材
【図６】
2015085071.tif 000003
【図１】
2015085071.tif 000004
【図２】
2015085071.tif 000005
【図３】
2015085071.tif 000006
【図４】
2015085071.tif 000007
【図５】
2015085071.tif 000008
【図７】
2015085071.tif 000009